(57)【要約】本開示の実施例はアンテナ構造と電子装置、アンテナ構造のアレイ配列方法及び装置に関する。アンテナ構造は、複数のアレイ素子と、複数の給電ポートを含むＲＦコンポーネントと、ＲＦ切り替えスイッチとを備え、前記ＲＦ切り替えスイッチが、少なくとも２つのアレイ素子と前記ＲＦコンポーネントに含まれる少なくとも２つの給電ポートに接続され、前記ＲＦ切り替えスイッチが、それに接続された各給電ポートの給電オブジェクトを切り替え、予め設定されたアンテナアレイを構成するために用いられ、前記給電オブジェクトが前記ＲＦ切り替えスイッチに接続された少なくとも２つのアレイ素子のいずれか一つのアレイ素子である。
2021521658.tif 000002
【特許請求の範囲】
【請求項１】
アンテナ構造であって、
複数のアレイ素子と、
複数の給電ポートを含むＲＦコンポーネントと、
ＲＦ切り替えスイッチとを備え、
前記ＲＦ切り替えスイッチが、少なくとも２つのアレイ素子と前記ＲＦコンポーネントに含まれる少なくとも２つの給電ポートに接続され、前記ＲＦ切り替えスイッチが、それに接続された各給電ポートの給電オブジェクトを切り替え、予め設定されたアンテナアレイを構成するために用いられ、前記給電オブジェクトが前記ＲＦ切り替えスイッチに接続された少なくとも２つのアレイ素子のいずれか一つのアレイ素子である、前記アンテナ構造。
【請求項２】
前記アンテナ構造は、
複数の給電ポートを含む単一のＲＦコンポーネントを備え、前記給電ポートがいずれも前記ＲＦ切り替えスイッチに接続されることを特徴とする
請求項１に記載のアンテナ構造。
【請求項３】
前記アンテナ構造は複数のＲＦコンポーネントを備え、少なくとも一つのＲＦコンポーネントが複数の給電ポートを含み、各給電ポートが少なくとも一つのアレイ素子に対応し、
ここで、前記少なくとも一つのＲＦコンポーネントの各給電ポートがいずれも前記ＲＦ切り替えスイッチに接続され、前記ＲＦ切り替えスイッチが、各給電ポートに対応する給電オブジェクトを切り替えるために用いられることを特徴とする
請求項１に記載のアンテナ構造。
【請求項４】
隣接するアレイ素子の間の間隔距離は、前記アンテナ構造が予め設定された動作周波数にある時の波長以下であることを特徴とする
請求項１に記載のアンテナ構造。
【請求項５】
前記複数のアレイ素子は予め設定された範囲内に配列され、前記予め設定された範囲が前記複数のアレイ素子の配列中心を円点とし、前記アンテナ構造が予め設定された動作周波数にある時の２つの波長を半径とする範囲であることを特徴とする
請求項４に記載のアンテナ構造。
【請求項６】
前記複数のアレイ素子の配列は、
円形、方形、十字形、一字形を呈することを特徴とする
請求項４に記載のアンテナ構造。
【請求項７】
前記アンテナ構造は、５Ｇミリ波アンテナを含むことを特徴とする
請求項１−６のいずれか一項に記載のアンテナ構造。
【請求項８】
電子装置であって、
請求項１−７のいずれか一項に記載のアンテナ構造を備える、前記電子装置。
【請求項９】
アンテナ構造のアレイ配列方法であって、前記アンテナ構造が複数のアレイ素子、ＲＦ切り替えスイッチとＲＦコンポーネントを備え、前記アレイ配列方法は、
前記複数のアレイ素子のうちのアレイ配列のために必要な任意の数のアレイ素子を確定することと、
前記ＲＦ切り替えスイッチを調整して、前記ＲＦコンポーネントの給電ポートが前記任意の数のアレイ素子と一つずつペアになるようにアンテナアレイを構成することとを含む、前記アンテナ構造のアレイ配列方法。
【請求項１０】
アンテナ構造のアレイ配列装置であって、前記アンテナ構造が複数のアレイ素子、ＲＦ切り替えスイッチとＲＦコンポーネントを含み、前記アレイ配列装置は、
前記複数のアレイ素子のうちのアレイ配列のために必要な任意の数のアレイ素子を確定するように構成される確定モジュールと、
前記ＲＦ切り替えスイッチを調整して、前記ＲＦコンポーネントの給電ポートが前記任意の数のアレイ素子と一つずつペアになるようにアンテナアレイを構成するように構成される調整モジュールとを備える、前記アンテナ構造のアレイ配列装置。
【請求項１１】
コンピュータ可読記憶媒体であって、
コンピュータ命令を記憶し、該命令がプロセッサによって実行される時に請求項９に記載の方法のステップを実現する、前記コンピュータ可読記憶媒体。
【請求項１２】
電子装置であって、
プロセッサと、
プロセッサで実行可能な命令を記憶するように構成されるメモリとを備え、
ここで、前記プロセッサが実行する時に請求項９に記載の方法のステップを実現するように構成される、前記電子装置。
【発明の詳細な説明】
【技術分野】
【０００１】
（関連出願への相互参照）
本出願は出願番号が２０１９１０４９３４８１．７で、出願日が２０１９年６月６日である中国特許出願に基づいて提出され、該中国特許出願の優先権を主張し、該中国特許出願の全ての内容がここで参照により本明細書に組み込まれる。
【０００２】
本開示の実施例は、端末技術分野に関し、特にアンテナ構造と電子装置、アンテナ構造のアレイ配列方法及び装置に関する。
【背景技術】
【０００３】
現在、第５世代移動通信ネットワークに対する研究及び開発が白熱化段階に入り、その伝送速度が現在広く使用されている第４世代移動通信ネットワークの数百倍であり、これにより、電子装置の通信速度が大幅に向上する。
【０００４】
第５世代移動通信ネットワークの急速な発展に基づき、電子装置内のアンテナ構造に対する要求も向上し、例えば、通信ニーズを満たすために、通常、電子装置内に複数のアンテナアレイを設置する必要がある。
【発明の概要】
【発明が解決しようとする課題】
【０００５】
本開示の実施例は、関連技術の不足を解決するために、アンテナ構造と電子装置、アンテナ構造のアレイ配列方法及び装置を提供する。
【課題を解決するための手段】
【０００６】
本開示の実施例の第一の態様によるアンテナ構造は、
複数のアレイ素子と、
複数の給電ポートを含むＲＦコンポーネントと、
ＲＦ切り替えスイッチとを備え、
前記ＲＦ切り替えスイッチが、少なくとも２つのアレイ素子と前記ＲＦコンポーネントに含まれる少なくとも２つの給電ポートに接続され、前記ＲＦ切り替えスイッチが、それに接続された各給電ポートの給電オブジェクトを切り替え、予め設定されたアンテナアレイを構成するために用いられ、前記給電オブジェクトが前記ＲＦ切り替えスイッチに接続された少なくとも２つのアレイ素子のいずれか一つのアレイ素子である。
【０００７】
選択可能に、前記アンテナ構造は、
複数の給電ポートを含む単一のＲＦコンポーネントを備え、前記給電ポートがいずれも前記ＲＦ切り替えスイッチに接続される。
【０００８】
選択可能に、前記アンテナ構造は複数のＲＦコンポーネントを備え、少なくとも一つのＲＦコンポーネントが複数の給電ポートを含み、各給電ポートが少なくとも一つのアレイ素子に対応し、
ここで、前記少なくとも一つのＲＦコンポーネントの各給電ポートがいずれも前記ＲＦ切り替えスイッチに接続され、前記ＲＦ切り替えスイッチが、各給電ポートに対応する給電オブジェクトを切り替えるために用いられる。
【０００９】
選択可能に、隣接するアレイ素子の間の間隔距離は、前記アンテナ構造が予め設定された動作周波数にある時の波長以下である。
【００１０】
選択可能に、前記複数のアレイ素子は予め設定された範囲内に配列され、前記予め設定された範囲が前記複数のアレイ素子の配列中心を円点とし、前記アンテナ構造が予め設定された動作周波数にある時の２つの波長を半径とする範囲である。
【００１１】
選択可能に、前記複数のアレイ素子の配列は、
円形、方形、十字形、一字形を呈する。
【００１２】
選択可能に、前記アンテナ構造は、５Ｇミリ波アンテナを含む。
【００１３】
本開示の実施例の第二の態様による電子装置は、上記のいずれか一項の実施例に記載されるアンテナ構造を備える。
【００１４】
本開示の実施例の第三の態様によるアンテナ構造のアレイ配列方法であって、前記アンテナ構造が複数のアレイ素子、ＲＦ切り替えスイッチとＲＦコンポーネントを含み、前記アレイ配列方法は、
前記複数のアレイ素子のうちのアレイ配列のために必要な任意の数のアレイ素子を確定することと、
前記ＲＦ切り替えスイッチを調整して、前記ＲＦコンポーネントの給電ポートが前記任意の数のアレイ素子と一つずつペアになるようにアンテナアレイを構成することとを含む。
【００１５】
本開示の実施例の第四の態様によれるアンテナ構造のアレイ配列装置であって、前記アンテナ構造が複数のアレイ素子、ＲＦ切り替えスイッチとＲＦコンポーネントを備え、前記アレイ配列装置は、
前記複数のアレイ素子のうちのアレイ配列のために必要な任意の数のアレイ素子を確定するように構成される確定モジュールと、
前記ＲＦ切り替えスイッチを調整して、前記ＲＦコンポーネントの給電ポートが前記任意の数のアレイ素子と一つずつペアになるようにアンテナアレイを構成するように構成される調整モジュールとを備える。
【００１６】
本開示の実施例の第五の態様によるコンピュータ可読記憶媒体は、コンピュータ命令を記憶し、該命令がプロセッサによって実行される時に上記のいずれか一項に記載の方法のステップを実現する。
【００１７】
本開示の実施例の第六の態様によれる電子装置は、
プロセッサと、
プロセッサで実行可能な命令を記憶するように構成されるメモリとを備え、
ここで、前記プロセッサが実行する時に上記のいずれか一項の実施例に記載される方法のステップを実現するように構成される。
【００１８】
本開示の実施例が提供する技術案は以下の有益な効果を含むことができる。
【００１９】
上記実施例から分かるように、本開示の実施例ではＲＦ切り替えスイッチの切り替え作用により、各給電ポートの給電オブジェクトを変更し、それによって異なる状態で異なるアンテナアレイを構成し、アンテナアレイのカバレッジを拡大し、関連技術における各アンテナアレイに含まれるアレイ素子が固定される技術案と比較し、本開示の実施例におけるアンテナアレイのアレイ配列方式がより柔軟である。
【００２０】
理解すべきものとして、以上の一般的な説明及び以下の詳細な説明は例示的及び説明的なものだけであり、本開示を限定できない。
【図面の簡単な説明】
【００２１】
【図１】一つの例示的な実施例に基づいて示されるアンテナ構造のモジュールブロック図である。
【図２】一つの例示的な実施例に基づいて示される別のアンテナ構造のモジュールブロック図である。
【図３】一つの例示的な実施例に基づいて示される別のアンテナ構造のモジュールブロック図である。
【図４】一つの例示的な実施例に基づいて示される別のアンテナ構造のモジュールブロック図である。
【図５】一つの例示的な実施例に基づいて示される別のアンテナ構造のモジュールブロック図である。
【図６】一つの例示的な実施例に基づいて示されるアンテナ構造のアレイ配列方法のフローチャートである。
【図７】一つの例示的な実施例に基づいて示されるアンテナ構造のアレイ配列方法のフローチャートである。
【図８】一つの例示的な実施例に基づいて示されるアンテナ構造のアレイ配列のための装置の構造図である。
【発明を実施するための形態】
【００２２】
ここでの添付図面は本明細書に組み込まれて本明細書の一部を構成し、本開示に一致する実施例を示し、明細書と共に本開示の実施例の原理を解釈することに用いられる。
【００２３】
ここで例示的な実施例を詳しく説明し、その例が図面に示される。以下の説明が図面に関する時に、特に明記しない限り、異なる図面における同じ数字は同じ又は類似の要素を表す。以下の例示的な実施例に記載される実施形態は本出願に一致する全ての実施形態を表すものではない。逆に、それらは添付の特許請求の範囲に詳細に記載される、本出願のいくつかの態様に一致する装置及び方法の例に過ぎない。
【００２４】
本出願で用いられる用語は特定の実施例を説明するためのだけであり、本出願を限定するものではない。本出願と添付の特許請求の範囲で用いられる単数形態の「一種」、「前記」及び「該」は、文脈が他の意味を明確に示しない限り、複数形態を含むことを意図する。また、理解すべきものとして、本明細書で用いられる用語「及び／又は」とは一つ又は複数の関連して示される項目のいずれか又は全ての可能な組み合わせを含むことを意味する。
【００２５】
理解すべきものとして、本出願で第一、第二、第三などの用語を用いて様々な情報を説明する可能性があるが、これらの情報はこれらの用語に限定されるべきではない。これらの用語は同一のタイプの情報を互いに区別するためのものだけである。例えば、本出願の範囲から逸脱することなく、第一の情報は、第二の情報と呼ばれてもよく、同様に、第二の情報は、第一の情報とも呼ばれてもよい。文脈に応じて、本明細書で用いられる単語「もし」は、「．．．．時に」又は「．．．．．場合」又は「確定したことに応答」と解釈されてもよい。
【００２６】
図１は一つの例示的な実施例に基づいて示されるアンテナ構造のモジュールブロック図である。図１に示すように、該アンテナ構造１００は複数のアレイ素子１、ＲＦコンポーネント２とＲＦ切り替えスイッチ３を備える。ここで、図１に示すように、アンテナ構造１００は９つのアレイ素子を備えることができ、当然、他の実施例では、他の数のアレイ素子、例えば８つの素子又は十つのアレイ素子などを含むことができるが、本開示の実施例はこれに限定されない。該ＲＦコンポーネント２は複数の給電ポートを含むこともでき、ＲＦ切り替えスイッチ３は該９つのアレイ素子のうちの少なくとも２つのアレイ素子及びＲＦコンポーネント２に含まれる少なくとも２つのポートに接続されてもよく、例えば図１において、該ＲＦ切り替えスイッチ３はアンテナ構造１００に含まれる９つのアレイ素子及びＲＦコンポーネント２に含まれる６つの給電ポートに接続され、該ＲＦ切り替えスイッチ３はＲＦコンポーネント２上の、ＲＦ切り替え３に接続された各給電ポートの給電オブジェクトを切り替えるために用いられてもよく、該給電オブジェクトがＲＦ切り替えスイッチ３に接続された少なくとも２つのアレイ素子のちのいずれか一つのアレイ素子であり、これにより、給電ポートとアレイ素子の間の導通関係を調整して複数種類の異なるアレイ素子を取得し、予め設定された異なるアンテナアレイを構成することができる。
【００２７】
例えば、図１に示すように、説明を容易にするために、本実施例では複数のアレイ素子１に含まれる各アレイ素子にアルファベット番号を付け、該複数のアレイ素子１はＡ、Ｂ、Ｃ、Ｄ、Ｅ、Ｆ、Ｇ、Ｈ、Ｉを含むことができ、ＲＦコンポーネント２はＰｏｒｔ１、Ｐｏｒｔ２、Ｐｏｒｔ３、Ｐｏｒｔ４、Ｐｏｒｔ５、Ｐｏｒｔ６の６つの給電ポートを含むことができ、一つの状態で、ＲＦ切り替えスイッチ３の切り替えによりアレイ素子ＡとＰｏｒｔ１、アレイ素子ＢとＰｏｒｔ２、アレイ素子ＣとＰｏｒｔ３、アレイ素子ＤとＰｏｒｔ４、アレイ素子ＥとＰｏｒｔ５、アレイ素子ＦとＰｏｒｔ６がそれぞれ導通することができ、それによってアレイ素子Ａ、Ｂ、Ｃ、Ｄ、Ｅ、Ｆからなる第一のアンテナアレイを取得し、別の状態で、ＲＦ切り替えスイッチ３の切り替えにより、アレイ素子ＡとＰｏｒｔ１、アレイ素子ＢとＰｏｒｔ２、アレイ素子ＣとＰｏｒｔ３、アレイ素子ＤとＰｏｒｔ４、アレイ素子ＥとＰｏｒｔ５、アレイ素子ＧとＰｏｒｔ６がそれぞれ導通することもででき、それによってアレイ素子Ａ、Ｂ、Ｃ、Ｄ、Ｅ、Ｇからなる第二のアンテナアレイを取得する。これにより分かるように、本開示の実施例ではＲＦ切り替えスイッチ３の切り替え作用により、各給電ポートの給電オブジェクトを変更し、それによって異なる状態で異なるアンテナアレイを構成し、アンテナアレイのカバレッジを拡大し、関連技術における各アンテナアレイに含まれるアレイ素子が固定される技術案と比較し、本開示の実施例におけるアンテナアレイのアレイ配列方式がより柔軟である。当然、他の実施例では、ＲＦコンポーネント２に含まれる６つの給電ポートには５つの給電ポートがＲＦ切り替えスイッチ３に接続されてもよく、アンテナ構造１００に含まれる９つのアレイ素子のうちの８つのアレイ素子はＲＦ切り替えスイッチ３に接続され、残りの一つのアレイ素子はＲＦ切り替えコンポーネント２の残りの一つの給電ポートに直接接続されるが、本開示の実施例はこれに限定されない。
【００２８】
説明すべきものとして、本開示の実施例では上記の２つの状態における給電ポートとアレイ素子との対応関係のみを例として説明し、他の実施例では給電ポートとアレイ素子との他の対応関係があってもよく、これにより、第三のアンテナアレイ又は第四のアンテナアレイなどを構成し、ここで詳細な説明を省略する。ここで、ＲＦコンポーネント２は増幅器、フィルタと周波数変換器のうちの一つ又は複数を含むことができるが、本開示の実施例はこれに限定されない。
【００２９】
本実施例では、依然として図１に示すように、該アンテナ構造１００は単一のＲＦコンポーネント２を備えることができ、該単一のＲＦコンポーネント２が複数の給電ポートを含むことができ、該複数の給電ポートがいずれもＲＦ切り替えスイッチ３に接続され、これにより、アンテナ構造１００内に搭載されたＲＦコンポーネント２の数を減少し、製造コストを削減することができる。別の実施例では、図２に示すように、該アンテナ構造１００は複数のＲＦコンポーネントを備えることもでき、該複数のＲＦコンポーネントのうちの少なくとも一つのＲＦコンポーネントが複数の給電ポートを含むことができ、各給電ポートが少なくとも一つのアレイ素子に対応することができる。図２に示すように、アンテナ構造１００は第一のＲＦコンポーネント２１と第二のＲＦコンポーネント２２を備えることができ、第一のＲＦコンポーネント２１が給電ポートＰｏｒｔ１とＰｏｒｔ２を含むことができ、第二のＲＦコンポーネント２２が給電ポートＰｏｒｔ３とＰｏｒｔ４を含むことができる。
【００３０】
一つの実施例では、各給電ポートが複数のアレイ素子に対応することができ、例えば図２に示すように、給電ポートｏｒｔ１がアレイ素子Ａとアレイ素子Ｂに対応し、給電ポートＰｏｒｔ２がアレイ素子Ｆとアレイ素子Ｇに対応し、給電ポートＰｏｒｔ１とＰｏｒｔ２がいずれもＲＦ切り替えスイッチ３に接続され、ＲＦ切り替えスイッチ３により第一のＲＦコンポーネント２１の給電オブジェクトを切り替えることができ、即ちＲＦ切り替えスイッチ３は給電ポートＰｏｒｔ１とアレイ素子Ａ又は給電ポートＰｏｒｔ１とアレイ素子Ｂを導通することができ、即ちＲＦ切り替えスイッチ３により給電ポートＰｏｒｔ２とアレイ素子Ｆ又は給電ポートＰｏｒｔ２とアレイ素子Ｇを導通することができ、同様に、第二のＲＦコンポーネント２２が図２における右上の破線ボック内のアレイ要素Ｃ、Ｄ、Ｅ、Ｈ、Ｉに対応することができ、給電ポートＰｏｒｔ３がアレイ素子Ｃ、アレイ素子Ｄとアレイ素子Ｅに対応し、給電ポートＰｏｒｔ４がアレイ素子Ｈとアレイ素子Ｉに対応し、給電ポートＰｏｒｔ３とＰｏｒｔ４がいずれもＲＦ切り替えスイッチ３に接続され、ＲＦ切り替えスイッチ３により第二のＲＦコンポーネント２２の給電オブジェクトを切り替えることができ、即ちＲＦ切り替えスイッチ３により給電ポートＰｏｒｔ３とアレイ素子Ｃ又は給電ポートＰｏｒｔ３とアレイ素子Ｄ又は給電ポートＰｏｒｔ３とアレイ素子Ｅを導通することができ、ＲＦ切り替えスイッチ３により給電ポートＰｏｒｔ４とアレイ素子Ｈ又は給電ポートＰｏｒｔ４とアレイ素子Ｉを導通することができる。当然、ここで第一のＲＦコンポーネント２１と第二のＲＦコンポーネント２２のみを例として説明し、アンテナ構造１００はさらに３つ及び３つ以上の数のＲＦコンポーネント２を備えることができ、図２における第一のＲＦコンポーネント２１及び第二のＲＦコンポーネント２２とアレイ素子との対応関係も例示的なものだけであり、他の対応関係があってもよく、本開示の実施例はこれに限定されない。
【００３１】
別の実施例では、ＲＦ切り替えスイッチ３に接続されたＲＦコンポーネント２の給電ポートが一つのアレイ素子に対応することもでき、それによってＲＦ切り替えスイッチ３により各給電ポートに対応するアレイ素子の動作状態を切り替えることができる。第一のＲＦコンポーネント２１に含まれる給電ポートＰｏｒｔ１を例とすると、該給電ポートＰｏｒｔ１がアレイ素子Ａのみに対応することができ、そのため、ＲＦ切り替えスイッチ３により、給電ポートＰｏｒｔ１とアレイ素子Ａを導通することができ、これにより、アレイ素子Ａが動作状態になり、該ＲＦ切り替えスイッチ３により給電ポートＰｏｒｔ１とアレイ素子Ａの接続を切断することができ、これによりアレイ素子Ａが非動作状態になる。
【００３２】
上記各実施例では、隣接するアレイ素子の間の間隔距離は該アンテナ構造１００が予め設定された動作周波数にある時の波長以下である。例えば、図２に示すように、該アンテナ構造１００が予め設定された動作周波数のミリ波を伝送することができると仮定すると、アレイ素子Ｈとアレイ素子Ｉの間の間隔距離Ｄは該予め設定された動作周波数のミリ波の波長以下であり、例えば該間隔距離は予め設定された動作周波数のミリ波の半分波長又は三分の一の波長の間隔距離に等しくてもよく、本開示の実施例はこれに限定されない。ここで、該間隔距離Ｄがアレイ素子Ｈの中心とアレイＩの中心の間の距離であってもよく、該アンテナ構造１００が５Ｇ信号を伝送することに用いられる場合、該予め設定された動作周波数は２６ＧＨｚ−４９ＧＨｚにであってもよく、間隔距離Ｄは２６ＧＨｚ−４９ＧＨｚ範囲内のいずれかの動作周波数のミリ波の波長であってもよい。当然、ここでアンテナ構造１００がミリ波を伝送することを例として説明し、他の実施例では、該アンテナ構造１００は他の周波数帯域にある電磁波を伝送することもできるが、本開示の実施例はこれに限定されない。
【００３３】
本実施例では、該複数のアレイ素子は、予め設定された範囲内に配列されてもよく、該予め設定された範囲が複数のアレイ素子の配列中心を円点とし、アンテナ構造が予め設定された動作周波数にある時の２つの波長を半径とする範囲である。図３に示すように、該予め設定された範囲が図における破線円に示される範囲であり、該予め設定された範囲に位置する各アレイ素子はいずれもＲＦ切り替えスイッチ３に接続される。
【００３４】
上記各実施例では、複数のアレイ素子は不規則な形状であってもよく、又は規則的な形状、例えば図１、図２に示す十字形、又は図３に示す方形、又は図４に示す一字形であってもよく、又は図５に示す円形であってもよく、本開示の実施例はこれに限定されない。該アンテナ構造１００は、電子装置の通信機能を強くするために５Ｇミリ波アンテナを含むことができる。本開示の実施例によるアンテナ構造１００が配置された電子装置は、ハンドヘルド端末例えば携帯電話とタブレットコンピュータを備えることができ、又は該電子装置はは、ウェアラブルデバイス例えばスマートウォッチを備えることができ、又は該電子装置はさらにスマートホームデバイスを備えることができる。
【００３５】
本開示の実施例の技術案に基づき、図６に示すように、上記のいずれかの実施例に記載されるアンテナ構造に対するアレイ配列方法が提供され、以下のステップを含むことができる。
【００３６】
ステップ６０１において、複数のアレイ素子のうちのアレイ配列のために必要な任意の数のアレイ素子を確定する。
【００３７】
本実施例では、電子装置は現在の通信ニーズに応じてアレイ配列のために必要なアレイ素子を確定することができ、例えば各アレイ素子の幅と位相、又は必要なアンテナアレイの指向性パターンと位相差に基づいてアレイ配列のためのアレイ素子を確定することができる。
【００３８】
ステップ６０２において、ＲＦ切り替えスイッチを調整して、ＲＦコンポーネントの給電ポートが該任意の数のアレイ素子と一つずつペアになるように、アンテナアレイを構成する。
【００３９】
本実施例では、該ＲＦ切り替えスイッチは、ＲＦコンポーネントの各給電ポートの給電オブジェクトを切り替えるための多極マルチスロースイッチ又は単極マルチスロースイッチを含むことができ、各給電ポートの給電オブジェクトが変更された後にアンテナアレイ構造を変更することができる。
【００４０】
上述したアレイ配列方法の実施例に対応して、本開示の実施例はさらにアレイ配列装置の実施例を開示する。
【００４１】
図７は本開示の一つの例示的な実施例に基づいて示されるアンテナ構造のアレイ配列装置のブロック図である。前記アンテナ構造は複数のアレイ素子、ＲＦ切り替えスイッチとＲＦコンポーネントを備え、図７に示すように、該装置は確定モジュール７０１と調整モジュール７０２を備え、ここで、
確定モジュール７０１が複数のアレイ素子のうちのアレイ配列のために必要な任意の数のアレイ素子を確定するように構成され、
調整モジュール７０２が、前記ＲＦ切り替えスイッチを調整して、前記ＲＦコンポーネントの給電ポートが前記任意の数のアレイ素子と一つずつペアになるようにアンテナアレイを構成するように構成される。
【００４２】
上記実施例における装置について、そのうちの各モジュールが操作を実行する具体的な方式は既に該方法に関する実施例で詳細に説明され、ここで詳細な説明を省略する。
【００４３】
装置の実施例については、それが基本的に方法の実施例に対応するため、関連するところが方法の実施例の部分の説明を参照すればよい。上述した装置の実施例は例示的なものだけでなく、ここで分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワーク要素に分布してもよい。実際のニーズに応じてそのうちの一部又は全てのモジュールを選択して本開示の実施例の解決策の目的を達成することができる。当業者は創造的な労力を要せずに理解して実施することができる。
【００４４】
それに対応して、本開示の実施例によるアンテナ構造のアレイ配列装置は、プロセッサと、プロセッサで実行可能な命令を記憶するように構成されるメモリとを備え、ここで、アンテナ構造が複数のアレイ素子、ＲＦ切り替えスイッチとＲＦコンポーネントを含み、前記プロセッサが前記複数のアレイ素子のうちのアレイ配列のために必要な任意の数のアレイ素子を確定し、前記ＲＦ切り替えスイッチを調整して、前記ＲＦコンポーネントの給電ポートが前記任意の数のアレイ素子と一つずつペアになるようにアンテナアレイを構成するように構成される。
【００４５】
それに対応して、本開示の実施例による端末は、アンテナ構造を備え、アンテナ構造が複数のアレイ素子、ＲＦ切り替えスイッチとＲＦコンポーネントを含み、前記端末はメモリ、及び一つ又は一つ以上のプログラムを備え、ここで、一つ又は一つ以上のプログラムがメモリに記憶され、且つ一つ又は一つ以上のプロセッサによって以下の操作のための命令を含む前記一つ又は一つ以上のプログラムを実行するように構成される：前記複数のアレイ素子のうちのアレイ配列のために必要な任意の数のアレイ素子を確定し、前記ＲＦ切り替えスイッチを調整して、前記ＲＦコンポーネントの給電ポートが前記任意の数のアレイ素子と一つずつペアになるようにアンテナアレイを構成する。
【００４６】
図８は一つの例示的な実施例に基づいて示されるアンテナ構造のためのアレイ配列のための装置８００の構造図である。例えば、装置８００は移動電話、コンピュータ、デジタル放送端末、メッセージ送受信装置、ゲーム機、タブレットデバイス、医療機器、フィットネス機器、パーソナルデジタルアシスタント等であってもよい。
【００４７】
図８を参照すると、装置８００は処理コンポーネント８０２、メモリ８０４、電源コンポーネント８０６、マルチメディアコンポーネント８０８、オーディオコンポーネント８１０、入力／出力（Ｉ／Ｏ）インターフェース８１２、センサコンポーネント８１４、及び通信コンポーネント８１６のうちの一つ又は複数を備えることができる。
【００４８】
処理コンポーネント８０２は一般的に装置８００の全体動作、例えば表示、電話コール、データ通信、カメラの動作及び記録動作と関連する動作を制御する。処理コンポーネント８０２は一つ又は複数のプロセッサ８２０を含んで命令を実行し、上記の方法の全て又は一部のステップを完了することができる。また、処理コンポーネント８０２と他のコンポーネントの間のインタラクションを容易にするために、処理コンポーネント８０２は一つ又は複数のモジュールを含むことができる。例えば、マルチメディアコンポーネント８０８と処理コンポーネント８０２の間のインタラクションを容易にするために、処理コンポーネント８０２はマルチメディアコンポーネントを含むことができる。
【００４９】
メモリ８０４は様々なタイプのデータを記憶して装置８００での動作をサポートするように構成される。これらのデータの例は装置８００で動作するように構成されるいずれかのアプリケーションプログラム又は方法のための命令、連絡先データ、電話帳データ、メッセージ、イメージ、ビデオなどを含む。メモリ８０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【００５０】
電源コンポーネント８０６は装置８００の様々なコンポーネントに電力を供給する。電源コンポーネント８０６は電源管理システム、一つ又は複数の電源、及び装置８００に電力を生成、管理及び割り当てることに関連する他のコンポーネントを含むことができる。
【００５１】
マルチメディアコンポーネント８０８は前記装置８００とユーザの間の一つの出力インタフェースを提供するスクリーンを含む。いくつかの実施例において、スクリーンは液晶ディスプレイ（ＬＣＤ）とタッチパネル（ＴＰ）を含むことができる。スクリーンがタッチパネルを含む場合、スクリーンはタッチスクリーンとして実現され、ユーザからの入力信号を受信することができる。タッチパネルは一つ又は複数のタッチセンサを含んでタッチ、スライドとタッチパネル上のジェスチャをセンシングする。前記タッチセンサはタッチ又はスライド動作の境界をセンシングするだけでなく、前記タッチ又はスライド動作に関連する持続時間及び圧力を検出することができる。いくつかの実施例において、マルチメディアコンポーネント８０８は一つのフロントカメラ及び／又はリアカメラを含む。装置８００が動作モード、例えば撮影モード又はビデオモードにある時、フロントカメラ及び／又はリアカメラは外部のマルチメディアデータを受信することができる。各フロントカメラ及び／又はリアカメラは一つの固定された光学レンズシステムであってもよく又は焦点距離及び光学ズーム能力を有する。
【００５２】
オーディオコンポーネント８１０はオーディオ信号を出力及び／又は入力するように構成される。例えば、オーディオコンポーネント８１０は一つのマイクロホン（ＭＩＣ）を含み、装置８００が動作モード、例えばコールモード、記録モードと音声識別モードにある場合、マイクロホンは外部の音声信号を受信するように構成される。受信されたオーディオ信号はさらにメモリ８０４に記憶又は通信コンポーネント８１６を介して送信されてもよい。いくつかの実施例において、オーディオコンポーネント８１０はさらにオーディオ信号を出力するための一つのスピーカを含む。
【００５３】
Ｉ／Ｏインターフェイス８１２は処理コンポーネント８０２と周辺インタフェースモジュールの間にインタフェースを提供し、上記周辺インタフェースモジュールがキーボード、クリックホイール、ボタンなどであってもよい。これらのボタンはホームボタン、音量ボタン、スタートボタンとロックボタンを含むことができるがこれらに限定されない。
【００５４】
センサコンポーネント８１４は装置８００に様々な態様の状態評価を提供するための一つ又は複数のセンサを含む。例えば、センサコンポーネント８１４は装置８００のオープン／クローズ状態、コンポーネントの相対的な位置決め、例えば前記コンポーネントが装置８００のディスプレイ及びキーパッドであることを検出することができ、センサコンポーネント８１４はさらに装置８００又は装置８００の一つのコンポーネントの位置変化、ユーザと装置８００との接触の存在又は非存在、装置８００の方位又は加速／減速と装置８００の温度変化を検出することができる。センサコンポーネント８１４はいかなる物理的な接触がない時に近くの物体の存在を検出するように構成される近接センサを含むことができる。センサコンポーネント８１４はさらにメージングアプリケーションに使用される光センサ、例えばＣＭＯＳ又はＣＣＤイメージセンサを含むことができる。いくつかの実施例において、該センサコンポーネント８１４はさらに加速度センサ、ジャイロセンサ、磁気センサ、圧力センサ又は温度センサを含むことができる。
【００５５】
通信コンポーネント８１６は装置８００と他の装置の間の有線又は無線方式の通信を容易にするように構成される。装置８００は通信規格に基づく無線ネットワーク、例えばＷｉＦｉ、２Ｇ又は３Ｇ、４Ｇ  ＬＴＥＦ、５Ｇ  ＮＲ又はこれらの組み合わせにアクセスすることができる。一つの例示的な実施例では、通信コンポーネント８１６は放送チャネルを介して外部の放送管理システムからの放送信号又は放送関連情報を受信する。一つの例示的な実施例では、前記通信コンポーネント８１６はさらに近距離通信（ＮＦＣ）モジュールを含み、短距離通信を容易にする。例えば、ＮＦＣモジュールは無線周波数識別（ＲＦＩＤ）技術、赤外線通信協会（ＩｒＤＡ）技術、超広帯域（ＵＷＢ）技術、ブルートゥース（登録商標）（ＢＴ）技術及び他の技術に基づいて実現されてもよい。
【００５６】
例示的な実施例では、装置８００は上記方法を実行するために、一つ又は複数の特定用途向け集積回路（ＡＳＩＣ）、デジタル信号プロセッサ（ＤＳＰ）、ディジタル信号処理装置（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子素子により実現されてもよい。
【００５７】
例示的な実施例では、命令を含む非一時的コンピュータ読み取り可能記憶媒体、例えば命令を含むメモリ８０４が提供され、上記命令は装置８００のプロセッサ８２０によって実行されて上記方法を完了することができる。例えば、前記非一時的コンピュータ読み取り可能記憶媒体はＲＯＭ、ＣＤ−ＲＯＭ、磁気テープ、フロッピー（登録商標）ディスクと光データ記憶装置などであってもよい。
【００５８】
当業者は明細書を考慮してここでの開示を実践した後、本開示の他の実施例の実施手段を容易に想到する。本出願は本開示の実施例のいかなる変形、用途又は適応的変化を含むことを意図し、これらの変形、用途又は適応的変化が本開示の一般的な原理に従い且つ本開示の実施例で公開されない本技術分野における公知知識又は慣用の技術手段を含む。本明細書及び実施例は例示のみとして見なされるが、本開示の実施例の真の範囲と精神は以下の特許請求の範囲によって示される。
【００５９】
理解すべきものとして、本開示の実施例は以上に説明され且つ添付図面に示された正確な構造に限定されず、その範囲から逸脱することなく様々な修正及び変更を行うことができる。本開示の実施例は添付の特許請求の範囲によって限定される。
【産業上の利用可能性】
【００６０】
本開示の実施例ではＲＦ切り替えスイッチの切り替え作用により、各給電ポートの給電オブジェクトを変更し、それによって異なる状態で異なるアンテナアレイを構成し、アンテナアレイのカバレッジを拡大し、関連技術における各アンテナアレイに含まれるアレイ素子が固定される技術案と比較し、本開示の実施例におけるアンテナアレイのアレイ配列方式がより柔軟である。
【図１】
2021521658.tif 000003
【図２】
2021521658.tif 000004
【図３】
2021521658.tif 000005
【図４】
2021521658.tif 000006
【図５】
2021521658.tif 000007
【図６】
2021521658.tif 000008
【図７】
2021521658.tif 000009
【図８】
2021521658.tif 000010
【国際調査報告】
2021521658.tif 000011
2021521658.tif 000012
2021521658.tif 000013
2021521658.tif 000014